(57)【要約】【課題】  製造を容易にし、浪費される材料を減らしてコストを抑え、環境を汚染させないリング状ＬＥＤランプ構造を提供する。【解決手段】  リング状ＬＥＤランプ構造は、リング状支持台１、ピンユニット２及び複数の発光ユニット３を備える。ピンユニット２は、リング状支持台１の切欠部の中に配置する。複数の発光ユニット３は、リング状支持台１の面部に配置し、ピンユニット２と電気的に接続され、発光ユニット３のそれぞれは、複数のＬＥＤランプ３１を有する。【選択図】  図１
0003165344.tif 000002
【実用新案登録請求の範囲】
【請求項１】
リング状支持台、ピンユニット及び複数の発光ユニットを備えるリング状ＬＥＤランプ構造であって、
前記ピンユニットは、前記リング状支持台の中に配置し、
前記複数の発光ユニットは、前記リング状支持台の面部に配置し、前記ピンユニットと電気的に接続され、前記発光ユニットのそれぞれは、複数のＬＥＤランプを有することを特徴とするリング状ＬＥＤランプ構造。
【請求項２】
前記ピンユニットは、互いに電気的に接続された駆動回路及び複数の接続ピンを有することを特徴とする請求項１に記載のリング状ＬＥＤランプ構造。
【請求項３】
前記発光ユニットのそれぞれは、回路基板を有し、
前記回路基板は、前記リング状支持台の面部に配置され、前記駆動回路と電気的に接続され、ＬＥＤランプを有することを特徴とする請求項２に記載のリング状ＬＥＤランプ構造。
【請求項４】
前記ピンユニットは電極端子であることを特徴とする請求項１乃至３の何れかに記載のリング状ＬＥＤランプ構造。
【請求項５】
前記リング状支持台は、切欠部を有し、
前記ピンユニットは、前記切欠部の中に配置されることを特徴とする請求項１に記載のリング状ＬＥＤランプ構造。
【請求項６】
前記発光ユニットが配置される側の前記リング状支持台の面部に覆設される１つのカバーをさらに備えることを特徴とする請求項１に記載のリング状ＬＥＤランプ構造。
【請求項７】
前記発光ユニットが配置される側の前記リング状支持台の面部に覆設される複数のカバーをさらに備えることを特徴とする請求項１に記載のリング状ＬＥＤランプ構造。
【請求項８】
前記カバーは、フックを有し、
前記リング状支持台は、前記フックを係合させる挿入孔を有することを特徴とする請求項６又は７に記載のリング状ＬＥＤランプ構造。
【請求項９】
前記リング状支持台には、前記発光ユニットと表裏の関係になるように、複数の放熱フィンが面部に設けられていることを特徴とする請求項１に記載のリング状ＬＥＤランプ構造。
【考案の詳細な説明】
【技術分野】
【０００１】
本考案は、リング状ＬＥＤランプ構造に関するものであり、さらに詳しくは、従来のリング状蛍光灯の灯具に取り付けて使用することが可能なリング状ＬＥＤランプ構造に関するものである。
【背景技術】
【０００２】
一般に、リング状蛍光灯は、ワット数が小さいため、明るさがユーザのニーズを満たさないものがほとんどである。ワット数をあげるためには、従来のリング状蛍光灯の灯具をワット数が高い灯具に交換する必要があるが、一般にワット数が高い灯具は、消費電力も高いため、エネルギーの消費量を減らしたり、二酸化炭素の排出量を減らしたりすることができないという問題がある。
【０００３】
ＬＥＤランプは、高いワット数を得るとともに、エネルギーを節減したり二酸化炭素の排出量を減らしたりすることが可能であるが、製造の際依然として次のような問題点があった。即ち、リング状ＬＥＤランプを製造する際、回路基板をリング状に形成する必要があるため、非常に多くの材料が浪費される。そのため、環境保護、エネルギーの節減及び二酸化炭素の排出量削減に適さない上、コストが高いという問題点があった。
【考案の開示】
【考案が解決しようとする課題】
【０００４】
本考案の主な目的は、多数の発光ユニットを組み合わせることにより、製造を容易にし、浪費される材料を減らしてコストを抑え、環境を汚染させないリング状ＬＥＤランプ構造を提供することにある。
【課題を解決するための手段】
【０００５】
上記課題を解決するために、本考案によれば、リング状支持台、ピンユニット及び複数の発光ユニットを備えるリング状ＬＥＤランプ構造であって、前記ピンユニットは、前記リング状支持台の中に配置し、前記複数の発光ユニットは、前記リング状支持台の面部に配置し、前記ピンユニットと電気的に接続され、前記発光ユニットのそれぞれは、複数のＬＥＤランプを有することを特徴とするリング状ＬＥＤランプ構造が提供される。
【０００６】
前記ピンユニットは、互いに電気的に接続された駆動回路及び複数の接続ピンを有することが好ましい。
【０００７】
前記発光ユニットのそれぞれは、回路基板を有し、前記回路基板は、前記リング状支持台の面部に配置され、前記駆動回路と電気的に接続され、ＬＥＤランプを有することが好ましい。
【０００８】
前記ピンユニットは電極端子であることが好ましい。
【０００９】
前記リング状支持台は、切欠部を有し、前記ピンユニットは、前記切欠部の中に配置されることが好ましい。
【００１０】
前記発光ユニットが配置される側の前記リング状支持台の面部に覆設される１つのカバーをさらに備えることが好ましい。
【００１１】
前記発光ユニットが配置される側の前記リング状支持台の面部に覆設される複数のカバーをさらに備えることが好ましい。
【００１２】
前記カバーは、フックを有し、前記リング状支持台は、前記フックを係合させる挿入孔を有することが好ましい。
【００１３】
前記リング状支持台には、前記発光ユニットと表裏の関係になるように、複数の放熱フィンが面部に設けられていることが好ましい。
【考案の効果】
【００１４】
本考案のリング状ＬＥＤランプ構造は、多数の発光ユニットを組み合わせることにより、製造を容易にし、浪費される材料を減らしてコストを抑え、環境を汚染させないという顕著な効果を奏する。
【図面の簡単な説明】
【００１５】
【図１】本考案の第１実施形態によるリング状ＬＥＤランプ構造の一部を示す分解斜視図である。
【図２】本考案の第１実施形態によるリング状ＬＥＤランプ構造の一部を示す斜視図である。
【図３】本考案の第１実施形態によるリング状ＬＥＤランプ構造を示す斜視図である。
【図４】本考案の第１実施形態によるリング状ＬＥＤランプ構造を灯具に取り付けて使用する状態を示す斜視図である。
【図５】本考案の第２実施形態によるリング状ＬＥＤランプ構造を示す分解斜視図である。
【考案を実施するための最良の形態】
【００１６】
以下、本考案の実施形態について図面に基づいて説明する。なお、これによって本考案が限定されるものではない。
（第１実施形態）
図１〜図３を参照する。図１〜図３に示すように、本考案の第１実施形態によるリング状ＬＥＤランプ構造は、リング状支持台１、ピンユニット２、複数の発光ユニット３及びカバー４を含む。
【００１７】
リング状支持台１は、複数の挿入孔１０を有し、切欠が設けられ、面部に複数の放熱フィン１１が設けられている。前記リング状支持台１は、その平面がリング形状であり、リング形状の任意の位置を切欠し、切欠により、リング状支持台の一部が取り除かれ、切欠部が形成される。
【００１８】
ピンユニット２は、リング状支持台１の切欠部の中に配置され、駆動回路２０及び複数の接続ピン２１を有する。接続ピン２１は、駆動回路２０と電気的に接続されている。ピンユニット２は、電極端子でもよい。
【００１９】
リング状支持台１には、放熱フィン１１と表裏の関係になるように発光ユニット３が配置されている。各発光ユニット３は、回路基板３０及び多数のＬＥＤランプ３１を含む。ＬＥＤランプ３１は、駆動回路２０と電気的に接続された回路基板３０に配置されている。
【００２０】
カバー４は、複数のフック４０を有し、発光ユニット３が配置されている側のリング状支持台１の面部に覆設されている。カバー４は、フック４０を挿入孔１０に係合させると、リング状支持台１に接続させることができる。
【００２１】
図４を参照する。図４に示すように、本考案の一実施形態によるリング状ＬＥＤランプ構造は、従来のリング状蛍光灯の灯具５に取り付けて使用することが可能であるため、灯具５を交換しなくても、好適な照明を得ることができる。また、比較的少ない材料で製造することが可能なため、コストを削減したり、環境を汚染させたりすることなく、エネルギーを節減したり、二酸化炭素の排出量を減らしたりすることができる。発光ユニット３の発光により発生した熱は、ＬＥＤランプ３１が過度に熱くなることを防ぐために、放熱フィン１１により空気中に放出させることができる。
（第２実施形態）
図５を参照する。図５に示すように、本考案の第２実施形態によるリング状ＬＥＤランプ構造は、複数のカバー４Ａが、それぞれフック４０Ａを有する。複数のカバー４Ａは、発光ユニット３が配置された側のリング状支持台１の側面に覆設されている。カバー４Ａは、フック４０Ａを挿入孔１０に係合させると、リング状支持台１に接続させることができる。
【００２２】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  リング状支持台
２  ピンユニット
３  発光ユニット
４  カバー
４Ａ  カバー
５  灯具
１０  挿入孔
１１  放熱フィン
２０  駆動回路
２１  接続ピン
３０  回路基板
３１  ＬＥＤランプ
４０  フック
４０Ａ  フック
【図１】
0003165344.tif 000003
【図２】
0003165344.tif 000004
【図３】
0003165344.tif 000005
【図４】
0003165344.tif 000006
【図５】
0003165344.tif 000007